(57)【要約】複数の袖口ボタンを脱落することなく、しかも糸の緩み等により不整列にならない袖口用ボタンの提供する。複数のボタンを横１列に並列し一体化した横長サイズのプレートであって、該プレートの各ボタン位置に対応する裏面にボタン留めピン（１４）を複数個突設してなる飾りボタンプレート（１０）と、該ボタンプレートに対応して横長サイズであって、袖口表側位置するに飾りボタンプレートから袖口裏面に侵入した上記各ボタン留めピンと係合されるホールドプレート（２０）とからなり、上記ボタンプレートを袖口表側に腕長手方向に横長にして密着固定可能な構造を有することを特徴とする袖口用飾りプレートボタンセット。【特許請求の範囲】
【請求項１】
複数のボタンを横１列に並列し一体化した横長サイズのプレートであって、該プレートの各ボタン位置に対応する裏面にボタン留めピンを複数個突設してなる飾りボタンプレートと、該ボタンプレートに対応して横長サイズであって、袖口表側位置するに飾りボタンプレートから袖口裏面に侵入した上記各ボタン留めピンと係合されるホールドプレートとからなり、上記ボタンプレートを袖口表側に腕長手方向に横長にして密着固定可能な構造を有することを特徴とする袖口用飾りプレートボタンセット。
【請求項２】
上記ボタンプレートの留めピンが全体としてコ字形状の二股ピンからなり、ボタンプレートの裏面に設けられた凹部に嵌め込み形式で取り付けられ、内側への折り曲げにより上記ホールドプレートを抱持可能である請求項１記載の袖口用飾りプレートボタンセット。
【請求項３】
上記ホールドプレートがボタン留めピンのホールドプレート長手方向への移動を係止めする溝部を有する請求項２記載の袖口用飾りプレートボタンセット。
【請求項４】
上記ボタンプレートが表面に装飾を有し、ＬＥＤ照明可能であるとともに、ボタンプレート裏面またはホールドプレートに電池が内蔵され、ボタンプレートのホールドプレートへの係合時に通電される請求項１記載の袖口用飾りプレートボタンセット
【発明の詳細な説明】
【技術分野】  本発明は例えばタキシード等、上着の袖口に取り付けるプレート状の飾りボタンセットに関する。
【背景技術】  タキシード等の上着には袖口に飾りボタンが複数個取り付けられる。しかしながら、これらの飾りボタンが金属製である場合、ボタン裏面に取り付けフックが突設され、これに糸を絡めて固定するというのが通常である。他の方法として、取り付けを容易にするために、糸留めに代えてピンの差し込みによりこれを固定するボタンが提案されている（特許文献１）。
【特許文献１】実用新案登録第３０７０５７６号公報
【発明の開示】
しかしながら、突設されたボタン裏の取り付けフックによって取り付ける場合、糸の緩みによりボタンを綺麗に整列させることが難しい。そこで、本発明は、複数の袖口ボタンを脱落することなく、しかも糸の緩み等により不整列にならない袖口用ボタンを提供することを目的とする。
本発明は、複数のボタンを横１列に並列し一体化した横長サイズのプレートであって、該プレートの各ボタン位置に対応する裏面にボタン留めピンを複数個突設してなる飾りボタンプレートと、該ボタンプレートに対応して横長サイズであって、袖口表側に位置するに飾りボタンプレートから袖口裏面に侵入した上記各ボタン留めピンと係合されるホールドプレートとからなり、上記ボタンプレートを袖口表側に腕長手方向に横長にして密着固定可能な構造を有することを特徴とする袖口用飾りプレートボタンセットにある。
複数のボタンをなすプレートがホールドプレートに留めピンの係合により袖口に取り付けられるので、腕長手方向に密着して取り付けられる。しかも、ボタンが横長にして一体的に取り付けられるので、いままでにないボタンの袖口装飾効果を高めることができる。
【図面の簡単な説明】  図１のＡ、Ｂ、Ｃは本発明に係るボタンプレートの平面、正面及び側面の形状を示す図である。
図２は本発明に係るボタンプレートの裏面図である。
図３は図２のＩＩＩ−ＩＩＩ線断面図である。
図４は本発明に係る留めピンの正面及び側面の形状を示す図である。
図５は本発明に係るホールドプレートの平面、正面、及び側面の形状を示す図である。
図６は図５に示すホールドプレートへの上記留めピンの係合状態を示す説明図である。
図７は袖口に本発明に係るボタンプレートを差し込んだ状態を示す斜視図である。
図８のＡ、Ｂは図７の拡大正面、及び拡大側面の状態を示す図である。
図９のＡ〜Ｅは前身頃に取り付けられる一つボタンの平面、裏面、正面、右側面及び断面の各形状を示す図である。
図１０のＡ、Ｂは図９の一つボタンの取り付け状態を示す裏面と側面を示す図である。
【発明を実施するための最良の形態】  図１において、１０は複数のボタンを横１列に並列し一体化した横長サイズの飾りボタンプレートであって、中央円形部１１とその両側に帯状部１２、１３を備える。この飾りボタンプレート１０の各ボタン位置に対応する裏面には、ボタン留めピン１４を複数個突設してなる。
他方、図５において、２０はホールドプレートで、樹脂又は金属からなり、上記飾りボタンプレート１０に対応して横長サイズであって、袖口表側に位置する飾りボタンプレート１０から袖口裏面に侵入した上記各ボタン留めピン１４と係合される（図６参照）。
図４に示すように、上記飾りボタンプレート１０の留めピン１４は全体としてコ字形状の脚部１４ａ、１４ｂを有する二股ピンからなり、飾りボタンプレート１０の裏面に設けられた凹部１５の嵌め込み部１６に嵌め込み形式で取り付けられ（図３）、図８Ｂに示すように内側への折り曲げにより上記ホールドプレート２０を抱持可能である（図６参照）。
図５に示すように、上記ホールドプレート２０はボタン留めピン１４のホールドプレート長手方向への移動を係止めする溝部２１、２２を有する。上記溝部２１、２２は少しずらして対向して設けてあり、各留めピン１４はその２本の脚部を斜めにして折曲される（図６参照）。
上記飾りボタンプレート１０は図７に示すように、袖口表側に位置させ、その留めピン１４を袖口に突き刺し、袖口３０の裏面に留めピン１４を突出させる。次いで、２個の留めピン１４、１４を一対としてこれに各１個のホールドプレート２０を当てる。
そして、この留めピン１４の脚部１４ａ、１４ｂをそれぞれ内側に曲げて、ホールドプレート２０を抱持するように係合させる。これにより、飾りボタンプレート１０は、袖口表側に腕長手方向に向かって、横長にして密着固定される。飾りボタンプレート１０の取り外しは、上記折り曲げた留めピン１４の脚部１４ａ、１４ｂを起立させることにより、容易に行うことができる。
なお、上記実施例では、留めピン１４の脚部１４ａ、１４ｂを折り曲げてホールドプレート２０に係合させたが、留めピン先端をホールドプレートに差し込み係合させるようにしてもよい。
上記飾りボタンプレート１０の表面には通常装飾が施されるが、この装飾を際立たせるために、適宜ＬＥＤを埋設し、照明可能とすることもできる。この場合、飾りボタンプレート１０裏面またはホールドプレート２０に電池を内蔵し、飾りボタンプレート１０のホールドプレート２０への係合時にＬＥＤに通電されるようにすることができる。
袖口の飾りボタンプレート１０に合わせて礼服には前身頃に飾りボタンが付けられるが、この場合は図９に示すように、飾りボタンプレート１０の中央部１１に相似形状の一つ飾りボタン４０を備えるのがよい。特に、飾りボタン４０はボタン留めに使用しないので、前身頃の布地３１に密着して取り付けられるのがよい（図１０Ｂ参照）。図９では一つ飾りボタン４０の表側４１は飾りボタンプレート１０の中央部と同じ形状をしており、裏面には一対の留めピン４２の脚部４２ａ，４２ｂが突出している。両脚部４２ａ，４２ｂは対向位置よりややずれて形成されており、図１０Ｂに示すように、ホールドプレート５０の溝部５１，５１を両側から挟むように折り曲げられ，重ならないようになっている（図１０Ａ参照）。ここでは、留めピン４２は埋め込み形式であるが、上記飾りボタンプレート１０と同様に嵌め込み形式とするのがよい。脚部が折損したときの交換が容易であるからである。
産業上の利用の可能性
以上、本発明によれば、袖口に複数の飾りボタンを横長一体にして、密着固定することができるので、ボタンの脱落及びボタンの不整列などがなく、体裁のよい装飾が施される。本発明の飾りボタンプレートは飾りボタンとして斬新なものであり、その装飾性は高いものであるから、前身頃の一つボタンと同一デザインを採用して今までにないボタンの装飾性を十分に発揮することができる。
2006001069.tif 000002
【図２】
2006001069.tif 000003
【図３】
2006001069.tif 000004
【図４】
2006001069.tif 000005
【図５】
2006001069.tif 000006
【図６】
2006001069.tif 000007
【図７】
2006001069.tif 000008
2006001069.tif 000009
2006001069.tif 000010
2006001069.tif 000011
【国際調査報告】
2006001069.tif 000012
2006001069.tif 000013